(57)【要約】【課題】焼き鳥皿の中央部に凹部と両側面の立ち上がり部にＶ字型の串抜き具を設けた焼き鳥皿を提供する。【解決手段】合成樹脂、金属、陶器等の焼き鳥用皿の中央部に浅い凹部又はスロープ状の凹部を設け、その長手方向先端の両側面側に複数のＶ字型の切り込みを設け、焼き鳥の垂れが中央の凹部又はスロープ状の凹部に集まり、凹部の両側面側のＶ字型部で焼き鳥の串を抜きながら１個づつ垂れをつけて食する、又は焼き鳥皿の立ち上がり部の上部隅部に複数のＶ字型の串抜きの凹部を設け又既設の焼き鳥皿にも取り付けられることを特徴とする焼き鳥及び串物皿。【選択図】  図１０
2007075560.tif 000002
【特許請求の範囲】
【請求項１】
合成樹脂、金属、陶器等の焼き鳥を乗せる皿の中央部に浅い凹部又はスロープ状の凹部を長手方向に設けた焼き鳥皿。
【請求項２】
合成樹脂、金属、陶器等の焼き鳥を乗せる皿の両側面側に複数のＶ字型の串抜き具を設けた請求項１記載の焼き鳥皿。
【請求項３】
焼き鳥皿の中央部の底に浅い凹部又はスロープ状の凹部を設け、両側面側に複数のＶ字型の串抜き具を設けた請求項１〜２記載の焼き鳥皿。
【請求項４】
焼き鳥皿の立ち上がり上部の複数の隅部に串抜き用のＶ字型を持った凹部を設けた請求項１〜３記載の焼き鳥皿。
【請求項５】
既設の焼き鳥皿にＶ字型の串抜き具を接着剤で接着した請求工１〜４記載の焼き鳥皿。
【発明の詳細な説明】
【技術分野】
【０００１】  本発明は、焼鳥と串物の皿に串抜き具と凹部を設けたことに関するものである。
【背景技術】
【０００２】  従来、焼き鳥及び串物専用の皿としては特に無く、食事用の皿を使用している、又串抜き具は数件実用新案登録がある。例えば登録実用新案第３０１４４３７号公報、実用新案公開平７−７４８８号公報がある。
【発明の開示】
【発明が解決しようとする課題】
【０００３】  それには次のような問題点があった。
（イ）従来の皿では，焼き鳥の垂れが皿の上部全面に広がり、落ちた垂れをつけられない。
（ロ）垂れが無駄になる。
（ハ）焼き鳥皿に串抜きのついたものは見当たらない。
（ニ）焼き鳥皿に垂れをためる凹部又はスロープ付き凹部を設けたものは見当たらない。
（ホ）串の尖った先端部を口に持っていくため食べる人みんなが危険である。
（ヘ）子供、年配者、女性、全員、串を抜いた方が食べやすく、焼き鳥皿で串が容易に抜けるものはない。
（ト）既設の焼き鳥皿に凹部を接着できる串抜きはない。
本発明は、以上の問題点を解決するためのものである。
【問題を解決するための手段】
【０００４】  合成樹脂、金属、陶器等の焼き鳥皿の中央部に焼き鳥の垂れがおちて溜まる浅い凹部又はスロープを設け、凹部、又はスロープの両先端部側面側に、Ｖ字型の切り込み部を数箇所設ける。数本の焼き鳥を皿の上にのせると焼き鳥の垂れが下に落ちて浅い凹部に溜まる。その垂れを再度焼き鳥につけて食する。皿の側面部の数箇所のＶ字型の切り込み部で、焼き鳥を串の尖った先端部に移動させ１つづつ垂れにつけて食することが出来又は全部引抜いて１ケずつ食することも出来る。女性、及びみんなには安全面からも安心して食する事ができる、又従来の焼き鳥皿の上部に１〜複数の凹型の串抜き具を設けたことを特徴とし、既設の皿にも取り付け可能な差し込み式串抜き具もある。
【発明の効果】
【０００５】  本発明の焼き鳥皿を使用すれば、焼いた焼き鳥につけた垂れが落ちて皿の中央部の浅い凹部にたまり、焼き鳥の垂れを無駄なく利用できるし、皿の凹部の両先端側面部に設けてあるＶ字型の串抜きで容易に焼き鳥の身を串の前方に押し又串を完全に抜くことができ、焼き鳥の身、ネギ等を垂れにつけて食べられ、子供、年配者、女性、全員も危険が無く安心して食べられる効果が期待できる。又、既設の皿に取り付けられる串抜き具もある。
【発明を実施するための最良の形態】
【０００６】  以下、本発明の実施の形態を説明する。
（イ）底板に浅い凹部を設けた合成樹脂製又は金属製、陶器の皿を設ける。
（ロ）その皿の中央部浅い凹部の両先端側面側にＶ字型の串抜きの切り込みを数箇所設ける。
（ハ）垂れのついた焼き鳥を数本皿の上に置くと垂れが落ちて中央部の浅い凹部又はなだらかな底に溜まる。
（ニ）浅い凹部に溜まった垂れに再度焼き鳥をつけて食する。
（ホ）焼き鳥皿の両側面側に設けた数箇所のＶ字型の部分で串を抜き、身を垂れにつけて食する。
（ヘ）焼き鳥皿の側面部又は隅の立ち上がり部分の皿に複数のＶ字型の切り込みを持った凹部を設け、串抜きとして使用する。
（ト）既設の焼き鳥皿にも接着剤で取り付け可能な串抜き具も可能である。
本発明は、以上の構成よりなっている。
【図面の簡単な説明】
【０００７】
【図１】本発明の凹部の平面図
【図２】本発明の凹部の正面Ｂ〜Ｂ断面図
【図３】本発明の凹部の右側面図
【図４】本発明の凹部の右側面Ｃ〜Ｃ断面図
【図５】本発明のスロープの平面図
【図６】本発明のスロープの正面Ｄ〜Ｄ断面図
【図７】本発明のスロープの右側面図
【図８】本発明のスロープの右側面Ｅ〜Ｅ断面図
【図９】本発明の他の平面図
【図１０】本発明のスロープ状の斜視図
【図１１】本発明の他の実施例の斜視図
【図１２】本発明の他の実施例の斜視図
【図１３】本発明の他の実施例の斜視図
【図１４】本発明のＶ字型の切り欠き拡大斜視図
【図１５】本発明のＶ字型の切り欠き拡大平面図
【図１６】本発明の既設の皿に取り付け用斜視図
【図１７】本発明の既設の皿に取り付け用正面図
【図１８】本発明の既設の皿に取り付け用平面図
【図１９】本発明の既設の皿に取り付け用右側面図
【図２０】本発明の既設の皿に取り付け用他の斜視図
【図２１】本発明の既設の皿に取り付け用他の正面図
【図２２】本発明の既設の皿に取り付け用他の平面図
【図２３】本発明の既設の皿に取り付け用他の右側面図
【図２４】本発明品を既設の皿に取りつけた状態図
【符号の説明】
【０００８】  １  焼き鳥及び串物皿
２  凹部及びスロープ状のへこみ
３  Ｖ字型の切り込み
４  焼き鳥及び串物皿の上につけた凹部
５  既設の焼き鳥及び串物皿に接着する差し込み用凹部
６  平面式串抜き具
７  テーパー付串抜き具
【図１】
2007075560.tif 000003
【図２】
2007075560.tif 000004
【図３】
2007075560.tif 000005
【図４】
2007075560.tif 000006
【図５】
2007075560.tif 000007
【図６】
2007075560.tif 000008
【図７】
2007075560.tif 000009
【図８】
2007075560.tif 000010
【図９】
2007075560.tif 000011
【図１０】
2007075560.tif 000012
【図１１】
2007075560.tif 000013
【図１２】
2007075560.tif 000014
【図１３】
2007075560.tif 000015
【図１４】
2007075560.tif 000016
【図１５】
2007075560.tif 000017
【図１６】
2007075560.tif 000018
【図１７】
2007075560.tif 000019
【図１８】
2007075560.tif 000020
【図１９】
2007075560.tif 000021
【図２０】
2007075560.tif 000022
【図２１】
2007075560.tif 000023
【図２２】
2007075560.tif 000024
【図２３】
2007075560.tif 000025
【図２４】
2007075560.tif 000026